(57)【要約】【課題】使い慣れたアプリケーションでＸＭＬデータを作成することができ、ＸＭＬの特別な知識を必要とせずにＸＭＬデータを作成することができ、かつ、同じアプリケーションで編集が容易にでき、高度な文書管理が可能なＸＭＬデータを作成することができるＸＭＬデータ生成方法及びそのプログラムを提供することを目的とするものである。【解決手段】ＸＭＬデータの文書構造を定義するＤＴＤの要素定義と、アプリケーションの有する文書作成機能に対応した要素定義とを対応させるための変換定義ファイルを作成し、該変換定義ファイルに基く文書属性入力項目が設けられたＸＭＬ対応文書テンプレートを作成し、該ＸＭＬ対応文書テンプレートを用い、ＸＭＬ対応文書を作成し、該ＸＭＬ対応文書を該ＤＴＤと該変換定義ファイルに従い、文書−ＸＭＬ変換プログラムでＸＭＬデータを生成することを特徴とするＸＭＬデータ生成方法である。【選択図】  図１
2008097496.tif 000002
【特許請求の範囲】
【請求項１】
ＸＭＬデータの文書構造を定義するＤＴＤの要素定義と、アプリケーションの有する文書作成機能に対応した要素定義とを対応させるための変換定義ファイルを作成し、該アプリケーションのための、該変換定義ファイルに基く文書属性入力項目が設けられたＸＭＬ対応文書テンプレートを作成し、該ＸＭＬ対応文書テンプレートを用い、該アプリケーションによりＸＭＬ対応文書を作成し、該ＸＭＬ対応文書を該ＤＴＤと該変換定義ファイルに従い、文書−ＸＭＬ変換プログラムでＸＭＬデータを生成することを特徴とするＸＭＬデータ生成方法。
【請求項２】
前記の作成されたＸＭＬ対応文書を前記のアプリケーションが有するＸＨＴＭＬ出力機能を用いて出力し、出力されたＸＨＴＭＬデータを前記のＤＴＤと変換定義ファイルに従い、ＸＨＴＭＬ−ＸＭＬ変換プログラムでＸＭＬデータを生成することを特徴とする請求項１に記載のＸＭＬデータ生成方法。
【請求項３】
前記の作成されたＸＭＬ対応文書に対する非表示のナレッジ情報が記載されたファイルが作成され、前記のＤＴＤに該ナレッジ情報が定義され、該ナレッジ情報とともにＸＭＬ対応文書を変換プログラムでＸＭＬデータに変換し、該ナレッジ情報を含むＸＭＬデータを生成することを特徴とする請求項１または請求項２の項に記載のＸＭＬデータ生成方法。
【請求項４】
前記のナレッジ情報は、各文書のＸＭＬデータに対するナレッジ項目が記録された表形式ファイルで作成され、ＸＭＬデータにリンクされて構成されることを特徴とする請求項３に記載のＸＭＬデータ生成方法。
【請求項５】
前記の変換プログラムは、請求項１から請求項３までのいずれかの項に記載のＸＭＬ対応文書又はＸＨＴＭＬデータに対して、変換定義ファイルに従い前記のＤＴＤに定義されたデータについては構造化データに変換し、その他のデータはデータ構造を維持したまま変換することで、ＸＭＬ対応文書に含まれるすべてのデータをＸＭＬデータに変換することを特徴とするＸＭＬデータ生成プログラム。
【請求項６】
前記の作成されたＸＭＬ対応文書と、前記の文書構造用ＤＴＤに設定されたタグとの対応関係を比較し、ＤＴＤに定義されていない要素の有無をチェックするための要素定義チェック機能を有することを特徴とする請求項５に記載のＸＭＬデータ生成プログラム。
【発明の詳細な説明】
【技術分野】
【０００１】
本発明は、文書構造の定義のためのデータと文書データ本体とを分離して取り扱うことができるＸＭＬ（ｅＸｔｅｎｓｉｂｌｅ  Ｍａｒｋｕｐ  Ｌａｎｇｕａｇｅ）データの生成方法、及びＸＭＬデータの情報処理プログラムに関する。
【背景技術】
【０００２】
近年、官公庁を初めとする様々な組織あるいは企業において、構造化文書の考え方に基づく文書管理が行われている。
【０００３】
構造化文書データは、本来ＳＧＭＬ（Ｓｔａｎｄａｒｄ  Ｇｅｎｅｒａｌｉｚｅｄ  Ｍａｒｋｕｐ  Ｌａｎｇｕａｇｅ）がそのルーツであり、異なるプラットフォーム間でのデータ交換の標準という考え方からきており、このＳＧＭＬでは、文書データと、文書の構造・書式などに係る情報とを分離し、どんな環境からも等しく利用することができるデータを記述する手段を提供しようとするものでした。
【０００４】
しかしながら、記述ルール・約束事があまりにも複雑で面倒なものであったため、広く実用化するまでには至らなかった。
【０００５】
そんな中で、インターネットの急速な普及に伴ってＨＴＭＬ（Ｈｙｐｅｒ  Ｔｅｘｔ  Ｍａｒｋｕｐ  Ｌａｎｇｕａｇｅ）が急速に広まり、このＨＴＭＬからさらにＸＭＬ（ｅＸｔｅｎｓｉｂｌｅ  Ｍａｒｋｕｐ  Ｌａｎｇｕａｇｅ）が生まれることとなった。
【０００６】
このＸＭＬは、前記のＳＧＭＬの文書構造の定義機能を簡素化し、前記のＨＴＭＬのウェブにおける利用環境を引き継いで生まれたものであり、インターネット環境の中で異なるプラットフォーム間におけるデータ交換の標準として、特に注目を集めている言語である。
【０００７】
これらのＸＭＬを初めとする構造化データの利点は、文書の内容を構造化し、文書中に含まれる個々のデータに意味付けを行うことができるという点である。
【０００８】
すなわち、文書に意味を持つタグ付けを行い、要素に分解し、個々の要素データを構造化して表現したものである。
【０００９】
また、その要素の属性を定義することにより、文書構造の定義のためのデータと文書データ本体とを分離して取り扱うことができるようにしたものである。
【００１０】
このＸＭＬなどの構造化データの利点を活用して、各種のアプリケーションデータの相互のデータ変換が可能となってきた。
【００１１】
現在、市販されている印刷用アプリケーションで作られるデータは、独自のファイル形式となっており、他のアプリケーションとの互換性はない。
【００１２】
このため、表現されるレイアウトは同じであるにもかかわらず、使用するアプリケーションによって、まったく別のデータが作成されてしまう。
【００１３】
そこで、ＸＭＬのように、文書構造の定義データと文書データ本体を分離して扱うことが可能な構造化データを基本データとして文書管理し、この構造化データから各種のアプリケーションデータに対して必要データを相互に変換できるようにし、そのための各変換プログラム環境を構築するというものである。
【００１４】
例えば、特開２０００−７６２２６号などがある。
【００１５】
また、前記の構造化データを用いて印刷の前段階である組版処理を行い、スタイル情報を定義して構造化データを効率良く組版できるようにしたものもある。
【００１６】
例えば、特開２０００−３３９３０７号などがある。
【００１７】
このように、文書データ管理に、ＸＭＬデータが有効であることが広く認識されるようになってきた。
【００１８】
しかしながら、このＸＭＬデータの作成には、ＸＭＬ文書の文書構造定義を理解し、本文内容を入力した上で、文書構造定義に沿った要素、属性を付加する（マークアップという）を行わねばならず、一般には熟練者による専用のＸＭＬエディターでの入力作業が行なわれている。
【００１９】
このようなＸＭＬ文書作成の際に生じる問題を軽減乃至解消するため、ＸＭＬ文書の作成を広く普及しているワードプロセッサで行う試みが従来から行われてきた。
【００２０】
これは、ワードプロセッサでＸＭＬの要素と属性に対応付けする規則を設定し、作業者が極力要素や属性を直接人力することがないようにし、作成されたワードプロセッサの文書をＸＭＬ文書にプログラムを用いて変換するものであり、近年では、ＸＭＬ形式で文書ファイルを保存できるワードプロセッサもある。
【００２１】
これらの変換プログラムやＸＭＬ形式で保存されたＸＭＬ文書は、要素を並列にしたものであることから、特開２００５−３５２８８０号では、要素の親子関係を作り出すために、ワードプロセッサを使用してＸＭＬ文書を作成するにあたり、ＸＭＬ文書の要素の親子関係の作成を、ワードブロセッサの表スタイルを使用し、親要素に対応する部分にこの表スタイルを指定し、文書ファイルからＸＭＬ文書への変換のタグとして機能させるようにしたものが開示されている。
【特許文献１】特開２０００−７６２２６号公報
【特許文献２】特開２０００−３３９３０７号公報
【特許文献３】特開２００５−３５２８８０号公報
【発明の開示】
【発明が解決しようとする課題】
【００２２】
このように、文書データ管理に、ＸＭＬデータが有効であることが広く認識されるようになり、ＸＭＬデータによる文書管理が盛んに行なわれるようになってきている。
【００２３】
このＸＭＬデータの作成においては、ＸＭＬの詳しい知識を有しなくても、使い慣れたワープロでＸＭＬデータを作成できることが好ましい。
【００２４】
そして、ワープロ文書にタグ設定してＸＭＬデータへの変換プログラムも開発されている。しかしながら、単純にワープロ文書にタグ設定を行い、ＸＭＬデータ化しても、特定のワープロと特定のＸＭＬデータの間でのデータのやり取りにしかならない。
【００２５】
ＸＭＬデータの有効な機能である文書構造の定義データと文書本体データとによる構造化文書となって始めてその有効性が発揮され、異なるアプリケーション間での相互の変換が可能となり、作成から編集、管理にいたるまでを総合的に管理できる文書データベースとして機能するものである。
【００２６】
特開２００５−３５２８８０号では、要素の親子関係を作り出すために、ワードプロセッサの表スタイルを使用してＸＭＬ文書を作成しているが、この場合には、親子関係の定義や属性などＸＭＬの特別な知識が必要となる。
【００２７】
本発明は、上記のような問題点に鑑みてなされたものであり、使い慣れたアプリケーションでＸＭＬデータを作成することができ、文書作成者はＸＭＬの特別な知識を必要とせずにＸＭＬデータを作成することができ、かつ、同じアプリケーションで編集が容易にでき、高度な文書管理が可能である構造化されたＸＭＬデータを作成することができるＸＭＬデータ生成方法及びそのプログラムを提供することである。
【課題を解決するための手段】
【００２８】
上記の問題を解決するために本発明の請求項１では、ＸＭＬデータの文書構造を定義するＤＴＤの要素定義と、アプリケーションの有する文書作成機能に対応した要素定義とを対応させるための変換定義ファイルを作成し、該アプリケーションのための、該変換定義ファイルに基く文書属性入力項目が設けられたＸＭＬ対応文書テンプレートを作成し、該ＸＭＬ対応文書テンプレートを用い、該アプリケーションによりＸＭＬ対応文書を作成し、該ＸＭＬ対応文書を該ＤＴＤと該変換定義ファイルに従い、文書−ＸＭＬ変換プログラムでＸＭＬデータを生成することを特徴とするＸＭＬデータ生成方法としたものである。
【００２９】
該変換定義ファイルは、各々のアプリケーションが有する、「タイトル」、「見出し」、「箇条書き」、「改ページ」、「太字」などの文書のスタイル設定や機能のすべての要素を、ＤＴＤに記載された要素定義であるタグ記述に対して完全に対応させるための対応関係が記載された相互変換用の定義ファイルである。
【００３０】
該ＸＭＬ対応文書テンプレートは、文書本文には直接記載されない、各文書に特有の情報、例えば、試験問題であれば、「学年」、「問題形式」、「難解度」などの属性情報を入力するための文書属性入力項目が設けられたテンプレートである。
【００３１】
また、請求項２では、前記の作成されたＸＭＬ対応文書を前記のアプリケーションが有するＸＨＴＭＬ出力機能を用いて出力し、出力されたＸＨＴＭＬデータを前記のＤＴＤと変換定義ファイルに従い、ＸＨＴＭＬ−ＸＭＬ変換プログラムでＸＭＬデータを生成することを特徴とするＸＭＬデータ生成方法としたものである。
【００３２】
該ＸＨＴＭＬ出力機能は、近年、ワープロソフトに設けられるようになった機能であり、例えば、マイクロソフト社のワープロソフト「Ｗｏｒｄ」では、「ＸＭＬドキュメント保存」の機能が設けられ、ワープロ文書をＨＴＭＬタグ付きテキストデータで出力できる。
【００３３】
また、請求項３では、前記の作成されたＸＭＬ対応文書に対する非表示のナレッジ情報が記載されたファイルが作成され、前記のＤＴＤに該ナレッジ情報が定義され、該ナレッジ情報とともにＸＭＬ対応文書を変換プログラムでＸＭＬデータに変換し、該ナレッジ情報を含むＸＭＬデータを生成することを特徴とするＸＭＬデータ生成方法としたものである。
【００３４】
該ナレッジ情報は、文書本文中には記載されない（すなわち非表示）が、その文書の独自の属性（作成種別・分類、使用の対象など）や、企画・管理者の独自の考えや評価（難易度、特徴、評価値など）などの情報である。このナレッジ情報を本文とともに管理することにより、文書の高度な分析、高度な文書の作成が可能となる。
【００３５】
また、請求項４では、前記のナレッジ情報は、各文書のＸＭＬデータに対するナレッジ項目が記録された表形式ファイルで作成され、ＸＭＬデータにリンクされて構成されることを特徴とするＸＭＬデータ生成方法としたものである。
【００３６】
該表形式ファイルは、表形式で表示されるファイルであればいずれでも良く、例えば、マイクロソフト社の表計算ソフトの「Ｅｘｃｅｌ」のファイルなどが使用できる。
【００３７】
また、請求項５では、前記の変換プログラムは、請求項１から請求項３までのいずれかの項に記載のＸＭＬ対応文書又はＸＨＴＭＬデータに対して、変換定義ファイルに従い前記のＤＴＤに定義されたデータについては構造化データに変換し、その他のデータはデータ構造を維持したまま変換することで、ＸＭＬ対応文書に含まれるすべてのデータをＸＭＬデータに変換することを特徴とするＸＭＬデータ生成プログラムとしたものである。  
【００３８】
該その他のデータは、各アプリケーションの独自のファイル記述形態であり、共通性のないデータ構造や記述形式であり、このような独自のデータについては、各アプリケーションの記述をそのままの状態を維持するタグを設定して変換することで、データ形式を壊すことなく、双方向の変換を可能とするものである。
【００３９】
また、請求項６では、前記の作成されたＸＭＬ対応文書と、前記の文書構造用ＤＴＤに設定されたタグとの対応関係を比較し、ＤＴＤに定義されていない要素の有無をチェックするための要素定義チェック機能を有することを特徴とするＸＭＬデータ生成プログラムとしたものである。
【００４０】
該要素定義チェック機能は、ＤＴＤに記載されたタグ記述以外のタグを使用していないかどうかをチェックできるプログラムであればいずれでも良く、ＪＡＶＡ（登録商標）やＣ言語などによるプログラムで実現できる。
【発明の効果】
【００４１】
本発明では以下の効果を奏する。
【００４２】
１）使い慣れたアプリケーションでＸＭＬデータを作成、編集できる。
【００４３】
２）ＸＭＬの詳しい知識を必要とせずにＸＭＬデータを作成、編集できる。
【００４４】
３）再利用や管理に適した構造化されたＸＭＬデータを容易に作成できる。
【００４５】
４）アプリケーションのデータと、ＸＭＬデータとの間で双方向変換が可能なＸＭＬデータを作成できる。
【００４６】
５）変換定義ファイルにより、ＤＴＤに対応したアプリケーションの機能を効果的にＸＭＬデータに変換できる。
【００４７】
６）要素定義チェック機能により、変換されたＸＭＬデータに不適切なタグが無くなり、変換前にスタイルや機能の不具合を発見でき、作業効率を高め、信頼瀬の高いＸＭＬデータを作成することができる。
【００４８】
７）非表示のナレッジ情報をデータ化でき、ＸＭＬデータとして編集、管理することができるので、高度な文書管理が可能となり、再利用価値が飛躍的に高まる。
【発明を実施するための最良の形態】
【００４９】
本発明の実施の形態について図面を用いて説明する。
図１は、本発明によるＸＭＬデータの生成方法を示すフロー図である。本例では、アプリケーションとしてマイクロソフト社のワープロソフトである「Ｗｏｒｄ」を使用して文書を作成し、ＸＭＬデータとしてデータベース化する場合について説明する。
【００５０】
Ｓ−１）ＤＴＤの解析
構築するＸＭＬデータベースのために設計されたＤＴＤを解析する。ＤＴＤファイルのタグの要素名、タグの属性名、または組み合わさったタグ群を調べる。
【００５１】
図２にＤＴＤの記載例を示す。（ａ）の「ルートタグ」は、ＸＭＬファイルのトップに配置される。（ｂ）の「理論構造タグ」は、文章をグループに分ける。（ｃ）の「リストタグ」は、文章に記載したい箇条書き項目の列挙をまとめる。（ｄ）の「タイトルタグ」は、グループに分けた文章のタイトルに相当する箇所である。(ｅ）の「インラインタグ  太字」は、指定箇所を太字という文字装飾に適用させる。
【００５２】
Ｓ−２）変換定義ファイルの作成
解析したＤＴＤの要素名・属性名などをＷｏｒｄの段落スタイル、文字スタイル、またはＷｏｒｄアプリケーションの機能と対応させた変換定義ファイルを作成する。
【００５３】
図３（１）に示すように、Ｗｏｒｄのスタイル・機能に対応したＤＴＤタグを調べて、（２）に示すように、Ｗｏｒｄのスタイル名とＤＴＤのタグ記述の関係を設定する。
【００５４】
Ｓ−３）Ｗｏｒｄテンプレートの作成
Ｗｏｒｄの段落スタイル、文字スタイルを規定のスタイル名としてＷｏｒｄテンプレートに登録し、変換定義ファイルに基く、文書属性入力項目が設けられたＷｏｒｄテンプレートを作成する。例えば、試験問題文書などでは、図４に示すように、問題本文に対して「問題ＩＤ」、「教科」、「学年」、「単元」、「タイトル」などの属性項目を入力する。
【００５５】
Ｓ−４）テンプレートによる文書作成
前記のＷｏｒｄテンプレートを使用して、文書属性などを入力して所望の文書を作成する。例えば、試験問題文書などでは、図４に示すように、問題本文に対して「問題ＩＤ」、「教科」、「学年」、「単元」、「タイトル」などの属性項目を入力する。
【００５６】
Ｓ−５）要素定義のチェック
作成された文書に対して、Ｗｏｒｄ文書編集における規定スタイル以外使われていないかをチェックする。すなわち、ＤＴＤタグに記載されていないタグがないかをプログラム処理でチェックする。
【００５７】
Ｓ−６）ＷｏｒｄによるＸＨＴＭＬ出力
要素定義チェック済みの文書をＷｏｒｄのファイル保存機能の「ＸＭＬドキュメント」でＸＨＴＭＬ出力する。
【００５８】
Ｓ−７）ＸＭＬデータに変換
出力されたＸＨＴＭＬデータを、前記の変換定義ファイルとＤＴＤに従って、変換プログラムにより、ＸＭＬに再定義して構造化されたＸＭＬデータを生成する。
【００５９】
Ｓ−８）ＸＭＬデータをＤＢに保存
出力されたＸＭＬデータは、再利用に適したＸＭＬデータベースに保存される。
このように、文書作成者は、Ｗｏｒｄテンプレートを用いて文書を作成することにより、自動的に定義がチェックされてＸＭＬデータが生成され、ＸＭＬデータベースを構築することができ、文書作成者は、ＸＭＬを意識することなく、使い慣れたワープロでいつものように文書を作成することで、ＸＭＬデータを容易に生成できる。
【００６０】
次に、本発明によるＸＭＬデータ生成方法によるプログラムが組み込まれた、試験問題データベースシステムの実施例について説明する。
【００６１】
本実施例では、図５に示すように、問題企画・管理者１と、問題作成者２と、作成された問題を保存するための問題作成管理データベース（ＤＢ）３とで構成され、該問題作成管理ＤＢ３から検索してブラウザ４で閲覧し、編集・修正・登録はテンプレート付きＷｏｒｄ５にて行なわれる。
【００６２】
また、図６に示すように、作成されたテンプレート付きＷｏｒｄデータ５は、問題文本文は問題文実体ＸＭＬ６に変換されて登録され、問題文の管理情報（問題プロパティ）７は、マイクロソフト社の表計算ソフトであるＥｘｃｅｌデータで保存され、問題ＩＤでリンクされて問題作成管理DB３に記録される。
【００６３】
本実施例の使用例について説明する。図７は、本問題ＤＢシステムのメインメニュー画面を示す図である。問題新規登録ボタン１１と、エクセルプロパティの登録・修正ボタン１２と、マージ処理ボタン１３と、問題検索ボタン１４と、終了ボタン１５とが表示されている。
【００６４】
図８は、問題新規登録画面を示す図である。教科選択欄１６により、国語、英語、社会、数学、理科の中から登録する教科を選択する。
登録ファイル確定欄の参照ボタン１７を押し、ファイル選択ダイヤログを開いて問題ワードデータと問題に必要な画像ファイル群をまとめて圧縮されたＺＩＰファイルを選択する。
【００６５】
次に新規登録ボタン１８を押し、問題コンテンツ情報であるＷｏｒｄ文書をＸＭＬデータに変換する。メインメニューボタン１９を押してメインメニューに戻る。
【００６６】
図９は、エクセルプロパティの登録・修正画面を示す図である。新規作成の処理は、手順１の教科選択欄２０により、登録する教科を選択し、Ｅｘｃｅｌファイルの取得ボタン２１を押し、Ｅｘｃｅｌファイルを開く。
【００６７】
図１０に示すように、問題ＩＤ項目に従って、学年、学期、問題形式、設問形式、解説文、科目、分野、大分類、中分類、小分類などの問題文に対する管理情報を記入される。また、問題企画・管理者などのナレッジ情報を記入することができる。このナレッジ情報項目は任意に作成することができ、このナレッジ情報が問題文とリンクされることにより、問題の高度な解析、検索が可能となるものである。
【００６８】
作成されたＥｘｃｅｌファイルは、手順２の教科選択欄２２により、教科を選択し、参照ボタン２３を押してファイル選択ダイヤログから選択し、アップロードボタン２４を押してアップロードする。メインメニューボタン２５を押してメインメニューに戻る。
【００６９】
図１１は、マージ処理画面を示す図である。上記で作成された問題コンテンツ情報であるＸＭデータと、問題プロパティ情報であるＥｘｃｅｌデータを一つのデータにする。  教科選択欄２６により、登録する教科を選択し、マージ処理ボタン２７を押し、マージ処理が行なわれ、問題作成管理ＤＢに登録される。  メインメニューボタン１７を押し、メインメニューに戻る。
【００７０】
図１２は、問題検索画面を示す図である。教科選択欄２９で目的の教科を選択する。検索項目の絞込み欄３０で検索条件を設定し、検索開始ボタン３１を押して検索する。３２はメインメニューの戻りボタンである。
【００７１】
図１３、図１４は検索結果リストの表示画面を示す図である。問題ＩＤリストが表示され、目的の問題のチェック欄３３にチェックを入れる。ビューボタン３４を押すと図１５に示すブラウザの表示画面が表示され、チェックした問題文の内容を確認できる。削除ボタン３５を押すと、チェックした問題文が削除される。また、Ｗｏｒｄファイルの作成ボタン３６を押すと、図１６に示すＷｏｒｄ画面が表示され、チェックした問題文の内容を修正することができる。３７は、検索メインメニューへの戻りボタンである。
【００７２】
このように、本発明によれば、問題文作成者は、まったくＸＭＬを意識するなく、使い慣れたＷｏｒｄにより問題作成ができ、編集・管理者も、ＸＭＬを意識する必要はなく、ＸＭＬデータによるデータベースを構築でき、細かなナレッジ情報がリンクされるので、詳細な検索ができ、高度な問題分析が可能となる。
【図面の簡単な説明】
【００７３】
【図１】本発明によるＸＭＬデータ生成方法を示すフロー図である。
【図２】文書構造用ＤＴＤの１例を示す図である。
【図３】ＤＴＤタグとＷｏｒｄスタイル・機能との対応を示す図である。
【図４】Ｗｏｒｄテンプレートの様式の一例を示す図である。
【図５】問題作成ＤＢシステムの概略構成図である。
【図６】問題作成管理データベースの内部構成を示す概念図である。
【図７】問題ＤＢ作成システムのメインメニュー画面を示す図である。
【図８】問題ＤＢ作成システムの問題新規登録画面を示す図である。
【図９】問題ＤＢ作成システムのエクセルプロパティの登録・修正画面を示す図である。
【図１０】問題プロパティ情報が記載されたＥｘｃｅｌ表データを示す図である。
【図１１】問題ＤＢ作成システムのマージ処理画面を示す図である。
【図１２】問題ＤＢ作成システムのマージ処理画面を示す図である。
【図１３】問題ＤＢ作成システムの検索結果リストの表示画面を示す図である。
【図１４】問題ＤＢ作成システムの検索結果リストの問題文選択時の表示画面を示す図である。
【図１５】問題ＤＢ作成システムの問題文のブラウザ表示画面である。
【図１６】問題ＤＢ作成システムのＷｏｒｄ文書修正画面である。
【符号の説明】
【００７４】
１  問題企画・管理者
２  問題作成者
３  問題作成管理データベース
４  ブラウザ
５  テンプレート付きＷｏｒｄデータ
６  問題文実体ＸＭＬ
７  問題文の管理情報（問題プロパティ）
１１  問題新規登録ボタン
１２  エクセルプロパティの登録・修正ボタン
１３  マージ処理ボタン
１４  問題検索ボタン
１５  終了ボタン
１６、２０、２２、２６  教科選択欄
１７、２３  参照ボタン
１８  新規登録ボタン
１９、２５、２８、２９、３２  メインメニューボタン
２１  Ｅｘｃｅｌファイルの取得ボタン
２４  アップロードボタン
２７  マージ処理ボタン
３０  検索項目の絞込み欄
３１  検索開始ボタン
３３  問題のチェック欄
３４  ビューボタン
３５  削除ボタン
３６  Ｗｏｒｄファイルの作成ボタン
３７  検索メインメニューボタン
【図１】
2008097496.tif 000003
【図２】
2008097496.tif 000004
【図３】
2008097496.tif 000005
【図４】
2008097496.tif 000006
【図５】
2008097496.tif 000007
【図６】
2008097496.tif 000008
【図７】
2008097496.tif 000009
【図８】
2008097496.tif 000010
【図９】
2008097496.tif 000011
【図１０】
2008097496.tif 000012
【図１１】
2008097496.tif 000013
【図１２】
2008097496.tif 000014
【図１３】
2008097496.tif 000015
【図１４】
2008097496.tif 000016
【図１５】
2008097496.tif 000017
【図１６】
2008097496.tif 000018